【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
切削インサート（２２）と、工具ホルダ（２４）と、調整部材（２６、１２６）と、を備え、
前記切削インサート（２２）は少なくとも１つの切削部分（２８）を有し、
前記工具ホルダ（２４）はインサートホルダ部分（３０、１３０）およびシャンク部分（３２）を有し、前記インサートホルダ部分（３０、１３０）は前記シャンク部分（３２）に強固に固定され、
前記調整部材（２６、１２６）は、前記インサートホルダ部分（３０、１３０）に非ねじ込み式で保持され、前記切削インサート（２２）に動作可能に接続され、
前記動作可能な切削部分（２８）がインサート切削角（α）でワークピース（３６）に接触する切削位置において、前記切削インサート（２２）は留め具（３４）によって前記インサートホルダ部分（３０、１３０）に着脱自在に固定され、
前記調整部材（２６、１２６）を動かすことによって、前記インサート切削角（α）が増大または減少されることを特徴とする切削工具（２０、１２０）。
【請求項２】
単一の調整部材（２６、１２６）を備えることを特徴とする請求項１に記載の切削工具（２０、１２０）。
【請求項３】
前記調整部材（２６、１２６）は前記切削インサート（２２）に直接係合することを特徴とする請求項１に記載の切削工具（２０、１２０）。
【請求項４】
前記調整部材（２６、１２６）を動かすことは、前記切削工具（２０、１２０）からいずれの構成要素も取り外すことなく実施されることを特徴とする請求項１に記載の切削工具（２０、１２０）。
【請求項５】
前記調整部材（２６、１２６）は第１の軸（Ａ１）を有し、
前記調整部材（２６、１２６）を動かすことは、前記調整部材（２６、１２６）をその第１の軸（Ａ１）を中心として回転させることによって実施されることを特徴とする請求項１に記載の切削工具（２０、１２０）。
【請求項６】
前記インサート切削角（α）は、前記調整部材（２６、１２６）をその第１の軸（Ａ１）を中心として一方向に回転させることによって増大され、また、前記調整部材（２６、１２６）をその第１の軸（Ａ１）を中心として反対方向に回転させることによって減少されることを特徴とする請求項５に記載の切削工具（２０、１２０）。
【請求項７】
前記調整部材（２６、１２６）は前記第１の軸（Ａ１）に対して垂直である平面的な底面（４２、１４２）を有し、
前記平面的な底面（４２、１４２）は前記インサートホルダ部分（３０、１３０）上の対応する座面（４４、１４４）に接触することを特徴とする請求項５に記載の切削工具（２０、１２０）。
【請求項８】
前記インサート切削角（α）は、前記調整部材（２６、１２６）のその第１の軸（Ａ１）を中心とした１回転未満の範囲内で得られる調整範囲（Ｒ）を有することを特徴とする請求項５に記載の切削工具（２０、１２０）。
【請求項９】
前記調整範囲（Ｒ）は少なくとも６°の角度を有することを特徴とする請求項８に記載の切削工具（２０、１２０）。
【請求項１０】
前記切削工具（２０、１２０）はねじ切り作業で使用され、
前記切削インサート（２２）は複数の切削部分（２８）を有し、各切削部分（２８）は２つの切刃（３８、４０）を有し、
前記インサート切削角（α）は、回転するワークピース（３６）の中心軸（Ｃ）を基準とした前記動作可能な切削部分（２８）の前記２つの切刃（３８、４０）の傾斜角であることを特徴とする請求項１に記載の切削工具（２０、１２０）。
【請求項１１】
前記少なくとも１つの切削部分（２８）の各々はインサート傾斜軸（Ａ３）を有し、
前記インサートホルダ部分（３０、１３０）は第１の平面（Ｐ１）を有し、
前記動作可能な切削部分（２８）の前記インサート傾斜軸（Ａ３）は、前記インサート切削角（α）の各値において、前記第１の平面（Ｐ１）に対して垂直であることを特徴とする請求項１に記載の切削工具（２０、１２０）。
【請求項１２】
前記調整部材（２６、１２６）は前記インサートホルダ部分（３０、１３０）上の一定の並進位置にあることを特徴とする請求項１に記載の切削工具（２０、１２０）。
【請求項１３】
前記調整部材（２６、１２６）は第１の軸（Ａ１）を有し、
前記調整部材（２６、１２６）を動かすことは、単に、前記調整部材（２６、１２６）をその第１の軸（Ａ１）を中心として回転させることによって実施されることを特徴とする請求項１に記載の切削工具（２０、１２０）。
【請求項１４】
前記調整部材（２６、１２６）はオペレータによって直接動かされることが可能であることを特徴とする請求項１に記載の切削工具（２０、１２０）。
【請求項１５】
ワークピース（３６）に対する切削工具（２０、１２０）のインサート切削角（α）を増大または減少させる方法であって、前記切削工具（２０、１２０）は、
切削インサート（２２）と、工具ホルダ（２４）と、調整部材（２６、１２６）と、
を備え、
前記切削インサート（２２）は少なくとも１つの切削部分（２８）を有し、
前記工具ホルダ（２４）はインサートホルダ部分（３０、１３０）およびシャンク部分（３２）を有し、前記インサートホルダ部分（３０、１３０）は前記シャンク部分（３２）に強固に固定され、
前記調整部材（２６、１２６）は、前記インサートホルダ部分（３０、１３０）に非ねじ込み式で保持され、前記切削インサート（２２）に動作可能に接続され、
前記切削インサート（２２）は留め具（３４）によって前記インサートホルダ部分（３０、１３０）に着脱自在に固定され、
前記方法は、
前記留め具（３４）を緩めるステップと、
前記切削工具（２０、１２０）からいずれの構成要素も取り外すことなく前記調整部材（２６、１２６）を動かすステップと、
前記留め具（３４）を再び締めるステップと、
を含むことを特徴とする方法。
【請求項１６】
前記調整部材（２６、１２６）は前記インサートホルダ部分（３０、１３０）上の一定の並進位置にあることを特徴とする請求項１５に記載の方法。
【請求項１７】
前記調整部材（２６、１２６）は第１の軸（Ａ１）を有し、
前記調整部材（２６、１２６）を動かすことは、単に、前記調整部材（２６、１２６）をその第１の軸（Ａ１）を中心として回転させることによって実施されることを特徴とする請求項１５に記載の方法。
【請求項１８】
前記調整部材（２６、１２６）は前記切削インサート（２２）に直接係合し、
前記調整部材（２６、１２６）はオペレータによって直接動かされることが可能であることを特徴とする請求項１５に記載の方法。
【請求項１９】
インサートホルダ部分（３０、１３０）を有する工具ホルダ（２４）と、
前記インサートホルダ部分（３０、１３０）に着脱自在に固定される切削インサート（２２）であって、関連するインサート傾斜軸（Ａ３）を備える動作可能な切削部分（２８）と、前記インサート傾斜軸（Ａ３）から離れて位置する能動的支持領域（６６）と、を有する切削インサート（２２）と、
前記インサートホルダ部分（３０、１３０）に非ねじ込み式で保持される調整部材（２６、１２６）であって、第１の軸（Ａ１）と、前記能動的支持領域（６６）にて前記切削インサート（２２）に少なくとも第１の部分が対向する支持面（５０、１５０）と、を有する調整部材（２６、１２６）と、
を備え、
前記第１の軸（Ａ１）を中心として前記インサートホルダ部分（３０、１３０）に対して前記調整部材（２６、１２６）が回転することにより、前記支持面（５０、１５０）の第２の部分が前記能動的支持領域（６６）に対向するようになり、前記インサートホルダ部分（３０、１３０）に対する、前記能動的支持領域（６６）における固定される切削インサート（２２）の高さおよび前記インサート傾斜軸（Ａ３）を中心とした固定される切削インサート（２２）の傾きの両方が変化することを特徴とする切削工具（２０、１２０）。